(57)【要約】【課題】全熱交換素子用素材およびその素材を用いた熱交換形換気装置において、熱交換形換気装置の潜熱交換効率を向上させることを目的とする。【解決手段】、多孔質シートａ１と、薄膜ａ２、薄膜ｂ３からなる全熱交換素子用素材は、吸湿剤として無機酸塩を備え、多孔質シートａ１の両側の面に吸湿剤を担持する薄膜ａ２及び薄膜ｂ３を備え、吸湿剤の種類を変えて薄膜ｂ３が薄膜ａ２よりも吸湿性が高い構成とする。この構成により、薄膜ａ２において一度水を集めて薄膜ａ２内部の相対湿度を上昇させたうえで、薄膜ａ２よりも薄膜ｂ３が高い吸湿性を持つことで、薄膜ａ２から薄膜ｂ３へ至る水の輸送を促進することができる。そして、薄膜ｂ３内部に水を集めることで、相対湿度を上げ、かつ水と空気の界面を広げることで、薄膜ｂ３からの水の蒸発量を増加でき、透湿性能を向上させた全熱交換素子用素材を得られる。【選択図】図１
2011012894.tif 000002
【特許請求の範囲】
【請求項１】
吸湿剤を有する平面状で透湿性の素材であって、前記素材の両面に前記吸湿剤を備えて前記素材の両面の内の一方の面を他方の面より吸湿性を高くし、かつ前記素材の両面の間を相互に前記吸湿剤が移動することを防ぐ構成を特徴とする全熱交換素子用素材。
【請求項２】
素材に基材を備え、前記基材として多孔質シートを備え、吸湿剤に無機酸塩または有機酸塩または多価アルコールまたは吸湿性高分子を備え、前記多孔質シートの片側の面に前記吸湿剤を担持する薄膜ａを備え、前記多孔質シートの逆側の面に前記吸湿剤を担持する薄膜ｂを備え、前記薄膜ａと前記薄膜ｂの吸湿性が異なる構成を特徴とする請求項１に記載の全熱交換素子用素材。
【請求項３】
素材に基材を備え、前記基材として多孔質シートを備え、吸湿剤に無機酸塩または有機酸塩または多価アルコールまたは吸湿性高分子を備え、前記多孔質シートに前記吸湿剤を担持させ、前記多孔質シートの片側の面に前記吸湿剤を担持する薄膜を備え、前記多孔質シートと前記薄膜の吸湿性が異なる構成を特徴とする請求項１に記載の全熱交換素子用素材。
【請求項４】
素材に２枚の透湿性の基材（基材ａ、基材ｂ）を備え、吸湿剤に無機酸塩または有機酸塩または多価アルコールまたは吸湿性高分子を備え、前記基材ａ及び前記基材ｂにそれぞれ前記吸湿剤を担持させ、前記基材ａと前記基材ｂの吸湿性が異なり、前記基材ａ及び前記基材ｂを貼り合わせた構成を特徴とする請求項１に記載の全熱交換素子用素材。
【請求項５】
素材に２枚の透湿性の基材（基材ａ、基材ｂ）を備え、吸湿剤に分子サイズが２ナノメートル以上の吸湿性高分子を備え、前記基材ａ及び前記基材ｂにそれぞれ吸湿剤を浸漬もしくは混合し、前記基材ａと前記基材ｂの吸湿性が異なり、前記基材ａ及び前期基材ｂの間に孔径２ナノメートル以上２００ナノメートル以下の多孔質シートを挟んで貼り合わせた構成を特徴とする請求項１に記載の全熱交換素子用素材。
【請求項６】
素材に２枚の透湿性の基材（基材ａ、基材ｂ）を備え、前記基材ａに含まれる吸湿剤ａに、分子サイズが２ナノメートル以上の吸湿性高分子を備え、前記基材ｂに含まれる吸湿剤ｂに、無機酸塩または有機酸塩または多価アルコールまたは吸湿性高分子を備え、前記基材ａに前記吸湿剤ａを浸漬もしくは混合し、前記基材ｂに前記吸湿剤ｂを担持し、前記基材ａと前記基材ｂの吸湿性が異なり、前記基材ａ及び前記基材ｂの間に孔径２ナノメートル以上２００ナノメートル以下の多孔質シートを挟んで貼り合わせた構成を特徴とする請求項１に記載の全熱交換素子用素材。
【請求項７】
素材に２枚の透湿性の基材（基材ａ、基材ｂ）を備え、吸湿剤に無機酸塩または有機酸塩または多価アルコールまたは吸湿性高分子を備え、前記基材ａ及び前記基材ｂにそれぞれ前記吸湿剤を浸漬もしくは混合し、前記基材ａと前記基材ｂの吸湿性が異なり、前記基材ａ及び前記基材ｂの間に孔径２ナノメートル以下の多孔質シートを挟んで貼り合わせた構成を特徴とする請求項１に記載の全熱交換素子用素材。
【請求項８】
素材に基材を備え、前記基材として孔径２ナノメートル以上２００ナノメートル以下の多孔質シートを備え、吸湿剤に分子サイズが２ナノメートル以上の吸湿性高分子を備え、前記多孔質シートの片側の面に前記吸湿剤を有する薄膜ａを備え、前記多孔質シートの逆側の面に前記吸湿剤を有する薄膜ｂを備え、前記薄膜ａと前記薄膜ｂの吸湿性が異なる構成を特徴とする請求項１に記載の全熱交換素子用素材。
【請求項９】
素材に基材を備え、前記基材として孔径２ナノメートル以下の多孔質シートを備え、吸湿剤に無機酸塩または有機酸塩または多価アルコールまたは吸湿性高分子を備え、前記多孔質シートの片側の面に前記吸湿剤を有する薄膜ａを備え、前記多孔質シートの逆側の面に前記吸湿剤を有する薄膜ｂを備え、前記薄膜ａと前記薄膜ｂの吸湿性が異なる構成を特徴とする請求項１に記載の全熱交換素子用素材。
【請求項１０】
多孔質シートにセラミックス膜を用いる構成を特徴とする請求項５、６または８のいずれかに記載の全熱交換素子用素材。
【請求項１１】
多孔質シートに酢酸セルロース膜を用いる構成を特徴とする請求項５から９のいずれかに記載の全熱交換素子用素材。
【請求項１２】
少なくとも１枚の基材に多糖類をイオン架橋剤でイオン的に架橋させた架橋体を用いる構成を特徴とする請求項３、４、６または７のいずれかに記載の全熱交換素子用素材。
【請求項１３】
多孔質シートの吸湿性が薄膜の吸湿性より高くなる構成を特徴とする請求項３に記載の全熱交換素子用素材。
【請求項１４】
基材ａの吸湿性が基材ｂの吸湿性より高い基材の組み合わせを備え、前記基材ｂより前記基材ａの厚みを厚くする構成を特徴とする請求項４から７のいずれかに記載の全熱交換素子用素材。
【請求項１５】
素材に基材を備え、前記基材がセルロースを主体とする分子から構成され、吸湿剤にグアニジン塩を有する構成を特徴とする請求項１、２、３、４、６または７のいずれかに記載の全熱交換素子用素材。
【請求項１６】
素材に基材を備え、前記基材に高吸水性高分子を有する構成を特徴とする請求項１から１５のいずれかに記載の全熱交換素子用素材。
【請求項１７】
基材ａの吸湿性が基材ｂの吸湿性より高い基材の組み合わせを備え、前記基材ａに高吸水性高分子を有する構成を特徴とする請求項４から７のいずれかに記載の全熱交換素子用素材。
【請求項１８】
基材ａ及び基材ｂの間に、高吸水性高分子を有するシートを備える構成を特徴とする請求項４から７のいずれかに記載の全熱交換素子用素材。
【請求項１９】
請求項１から１８のいずれかに記載の全熱交換素子用素材を伝熱板に用い、前記伝熱板の吸湿性の高い面同士または吸湿性の低い面同士がそれぞれ向かい合うように、前記伝熱板を互い違いに複数層重ね合わせ、その重ね合わせた各層間を交互に通るように第１流路及び第２流路を構成したことを特徴とする全熱交換素子。
【請求項２０】
請求項１９に記載の全熱交換素子を備えることを特徴とする熱交換形換気装置。
【請求項２１】
室外の空気を室内へ取り込み、室内の空気を室外へ排出する熱交換形換気装置において、互いに独立した、室外の空気を通風させる給気流路及び室内の空気を通風させる排気流路を備え、素子の第１流路及び第２流路を接続する流路を、それぞれ前記給気流路及び前記排気流路から選択できるように流路を切り替える切り替え手段を備えた構成を特徴とする請求項２０に記載の熱交換形換気装置。
【請求項２２】
室内の空気が室外の空気よりも湿度が高い場合に、吸湿性の高い面が給気流路に含まれるとともに吸湿性の低い面が排気流路に含まれ、室内の空気が室外の空気よりも湿度が低い場合に、吸湿性の高い面が前記排気流路に含まれるとともに吸湿性の低い面が前記給気流路に含まれるように流路を切り替える構成を特徴とする請求項２１に記載の熱交換形換気装置。
【発明の詳細な説明】
【技術分野】
【０００１】
本発明は、伝熱性と透湿性を有する素材を仕切板に用いて、顕熱及び潜熱を同時に回収する静止透過式の熱交換形換気装置に関するものである。
【背景技術】
【０００２】
従来、冷房や暖房の効果を損なわずに換気できる装置として、換気の際に給気と排気の間で熱交換を行う熱交換形換気装置が知られている。
【０００３】
熱交換形換気装置には、熱交換を行うための熱交換素子が含まれており、素材には給気と排気が交じり合わないようにするガスバリア性（主として二酸化炭素バリア性）と難燃性、伝熱性が求められる。特に、顕熱と同時に潜熱の熱交換も行う全熱交換素子に関しては、透湿性も合わせて有する必要がある。
【０００４】
従って、全熱交換素子用素材には、塩化カルシウム等の各種吸湿剤や難燃剤等の配合が検討されており、下記のような従来技術が開示されている。
【０００５】
例えば、特許文献１を挙げる。（図面は示さず）。
【０００６】
特許文献１では、全熱交換素子用素材の吸放湿性を高めるために、全熱交換素子用素材（文献中では全熱交換器エレメント用原紙と記載）に、パルプを主体とする紙基材を備え、該紙基材中に塩化カルシウムが１０〜２５質量％含まれ、かつ吸湿率が１５〜３０％であることを特徴とする全熱交換素子用素材があげられている。吸湿剤となる塩化カルシウムの質量濃度及び吸湿率を規定することで、高湿環境下における結露による液ダレの防止と透湿性能の両立及び難燃性の付与を目指している。
【０００７】
また、特許文献２を挙げる。（図面は示さず）。
【０００８】
特許文献２では、全熱交換素子用素材の潜熱交換効率を高めるために、疎水性合成繊維からなる繊維シートの表裏両面に熱伝導性の金属または金属化合物を蒸着したことを特徴とする全熱交換素子用素材があげられている。素材を疎水性とすることで、水を水蒸気の形で透過させやすくし、素材の透湿性能の向上を目指している。
【先行技術文献】
【特許文献】
【０００９】
【特許文献１】特開２００７−１１９９６９号公報
【特許文献２】特開２００６−２８３９９５号公報
【発明の概要】
【発明が解決しようとする課題】
【００１０】
このような従来の全熱交換素子用素材においては透湿性能の向上を目指して、素材の親水性を増して移行する水分を増加させるという手法と、素材の疎水性を増して移行する水分を増加させるという手法が存在している。これは全熱交換素子用素材において、素材が親水性の物質の方が液体の水が移動しやすい一方で、水分が素材へ吸着されやすくなっているために気体の水、すなわち水蒸気が移動しにくいという特性が存在する。逆に全熱交換素子用素材において、素材が疎水性の物質の方が気体の水が移動しやすい一方で、水が素材表面へ広がりにくいため液体の水が移動しにくいという特性も存在する。従来技術では、どちらかの輸送手段しか促進できない構造を取っているため、他方の輸送手段が抑制され、透湿性能が大きく向上できないという課題があった。
【００１１】
従来例としてあげた特許文献１では、透湿性能の向上のために素材全体に吸湿剤を有しており、水分が素材へ吸着されやすくなっているために素材中の水蒸気拡散が抑制され、また、素材内部へ均一に吸湿剤が分布していたため、その液体の水分の拡散を駆動する力は、放湿面における水分蒸発だけであったため、素材の透湿性能が不十分であった。
【００１２】
また、特許文献２では、透湿性能の向上のために素材全体が疎水性であり、素材表面における液体の水の拡散が阻害されており、また、疎水性の繊維シートのみでガスバリア性を得るために、水蒸気が透過し他の空気分子が透過しないサイズの繊維間空隙を持った繊維シートを備える必要があり、水蒸気の拡散量も抑制されることで、素材の透湿性能はやはり不十分であった。
【００１３】
そこで本発明は、上記従来の課題を解決するものであり、水の移動は、主として水蒸気拡散、表面拡散、及び毛細管輸送によって行われることに着目し、その全ての水輸送手段をある一方向へ促進することで、透湿性能を向上させた全熱交換素子用素材及び、その素材を用いた熱交換形換気装置を提供することを目的とする。
【課題を解決するための手段】
【００１４】
本発明は、吸湿剤を有する平面状で透湿性の素材であって、前記素材の両面に前記吸湿剤を備えて前記素材の両面の内の一方の面を他方の面より吸湿性を高くし、すなわち、前記素材は吸湿性の高い面と吸湿性の低い面を備え、かつ前記素材の両面の間を相互に前記吸湿剤が移動することを防ぐ構成を特徴とするものであり、すなわち、吸湿剤を備え、かつ潜熱交換に伴う水分の移動等によって吸湿剤が移動しない構造をとることで、平面状の素材の両面に異なる吸放湿性を持たせたことを特徴とすることで、所期の目的を達成するものである。
【発明の効果】
【００１５】
本発明によれば、吸湿剤を有する平面状で透湿性の素材であって、前記素材の両面に前記吸湿剤を備えて前記素材の両面の内の一方の面を他方の面より吸湿性を高くし、かつ前記素材両面の間を相互に前記吸湿剤が移動することを防ぐ構成を特徴としており、すなわち、素材の両面の吸湿性が異なり、かつ潜熱交換に伴う水分の移動によって吸湿剤が移動しない構造をとることで、平面状の素材の両面に異なる吸放湿性を備えた構成を特徴としたことで、水分を吸着する側の弱い吸湿剤、吸湿性能の低い吸湿剤によって、水分を吸着する側の近傍の素材内部における水分濃度を高め、これを逆側、つまり水分を放出する側の強い吸湿剤、吸湿性能の高い吸着剤によって水分を放出する側近傍の素材の表面へ引き寄せることで、素材内の水の輸送における気体、すなわち水蒸気拡散による輸送と、液体の水の拡散による輸送との両方を一方向へ促進することで、透湿性能を大きく向上させるという効果を得ることができる。
【００１６】
以下にこのメカニズムをより詳細に説明する。
【００１７】
全熱交換素子用素材において、水分は素材表面において吸着され、素材を水蒸気及び液体の水として（特にガスバリア性を持つ層を通過する際には主に液体として）通過し、逆側の素材表面において水蒸気となり放出される。
【００１８】
最初に素材表面における現象を説明する。
【００１９】
吸着等温線に示されるように水蒸気は素材表面の気体の相対湿度に比例して吸着され、吸着され液体になった水は、界面における平衡状態を目指して素材表面の気体の水蒸気分圧と水の飽和水蒸気分圧とを等しくするように凝縮または蒸発する。
【００２０】
すなわち素材表面において、水の吸湿及び放湿は、素材表面の気体の相対湿度及び水蒸気分圧、素材表面の水の飽和水蒸気分圧の影響により、水の吸着速度と蒸発速度とのどちらがより大きいかによってそれぞれ起きる現象である。そして、実際に素材表面を気体が流れており、その時表面近傍の気体の相対湿度及び水蒸気分圧が一定であると考えられる微小な単位で素材表面を区切って考えた場合、素材の吸湿性は、素材固有の吸着等温線に従った吸着速度と、素材に含まれる水溶性物質による水の飽和水蒸気分圧の低下による蒸発量の減少の影響を受ける。
【００２１】
従来よく知られている水溶性の吸湿剤とは、ラウールの法則に近似されているように、この水の飽和水蒸気分圧を下げることによって水の蒸発速度を減少させ、もって素材の吸湿量を増加させるという機能を果たしている。
【００２２】
続いて、素材内部における現象において説明する。
【００２３】
熱交換形換気装置における熱交換素子には、換気装置としての役割を果たすために、熱交換素子の素材にガスバリア性を持つ層を備えていることが求められている。特に特許文献１にあるようなガスバリア性を持つ層は水蒸気も通さないために、素材の他の部位と異なった性質を持つため、以下、水蒸気を通さないガスバリア性を持つ層と持たない層に分けて説明する。
【００２４】
ガスバリア性を持たない層では、水の移動は、主として水蒸気拡散、表面拡散、及び毛細管輸送によって行われる。
【００２５】
水蒸気拡散は、水が水蒸気の形で移動する輸送形態であり、素材内部の水蒸気圧差に応じて、水蒸気圧の高い側から低い側へと移動する。
【００２６】
表面拡散及び毛細管輸送は、水が液体の水の形で移動する輸送形態であり、吸着した水の可動性の高い方から低い方へと移動する。ここで水の可動性とは水が他の分子と結合することや水分子同士の結合が強固になることで低下する、水の移動しやすさを示す指標である。例えば親水性の吸湿剤を有することで、素材表面と水との結合に加え、吸湿剤と水との結合が生じるため、水の可動性は低下する。逆に例えば、水中に他の分子が溶け込んでいない場合、水は吸着された表面からの影響により可動性が変化するため、素材表面に吸着された水が増加すると、素材表面に構成された水の分子層の厚さが増加し、素材表面の分子と水分子の結合が弱まるため、水の可動性は上昇する。簡潔に言えば、単位空間あたりに存在する水の濃度が高いほど、水と他分子との相互作用が弱まることで水の可動性は高くなり、素材の存在や吸湿剤の存在によって水の濃度が低下すると、水と他分子との相互作用が強まることで水の可動性は低下する。
【００２７】
素材が湿潤されるにつれ、素材中の水蒸気の占める体積が減少するために液体での水の輸送が支配的となって、吸着した水の可動性の高い方から低い方へと移動し、逆に素材が乾燥するほど水蒸気の占める体積が増加するために水蒸気による輸送が支配的となって、水は水蒸気分圧の高い側から低い側へと移動する。
【００２８】
つまり、課題として挙げたように、従来は水蒸気分圧の勾配による水蒸気輸送か、水の可動性の勾配による液体の水輸送のみに着目していたため、素材の透湿性能が不十分であった。
【００２９】
また、ガスバリア性を持つ層においては、水が水蒸気の形で移動することは無いため、表面拡散及び毛細管輸送のみで移動すると考えられる。
【００３０】
以上を踏まえ、本発明におけるメカニズムと効果について詳細に説明する。
【００３１】
本発明によれば、少なくとも１種類の吸湿剤を有する平面状で透湿性の素材であって、前記素材の両面に前記吸湿剤を備えて前記素材の両面の内の一方の面を他方の面より吸湿性を高くし、かつ前記素材両面の間を相互に前記吸湿剤が移動することを防ぐ構成を特徴とすることで、すなわち、潜熱交換に伴う水分の移動等によって吸湿剤が移動しない構造をとることで、平面状の素材の両面に異なる吸放湿性を持たせた構成を特徴としている。
【００３２】
前記の特徴を備えることで、まず、水の吸着側となる吸湿性の弱い面において、水の吸着により素材表面が湿潤し、素材表面内部の水分濃度が上昇して水の可動性が高まる。つまり、従来水の吸着という役割を持っていた面へ、水を集めて、他方の面へ水を送りやすくするという役割を合わせて持たせる。そして、吸湿性の高い面を合わせて備えることで、まず、吸湿性の弱い面と吸湿性の強い面との水蒸気分圧の差により、水蒸気分圧の低い、つまり吸湿性の高い面に向けて水蒸気拡散が生じる。次に、吸湿性の弱い面において水の可動性が高まっており、一方で、吸湿性の高い面においては強い吸湿性を持つ吸湿剤の影響によって水の可動性が低下するため、従来、吸湿性が均一であった場合以上に水の可動性の勾配が生じ、その可動性勾配にしたがって、吸湿性の高い面へ向けて液体の水が拡散する。つまり、従来水を放出するという役割だけを持っていた面へ、気体及び液体の形で水を集めるという役割を合わせて持たせる。吸湿性の高い面では、水分が面へ集中するため、素材表面近傍と表面に接している空気との相対湿度の差が広がることによって放湿速度が増加し、さらに空気と水との界面の面積が増加することで、水の蒸発を促進することができる。
【００３３】
このため、素材内において、水蒸気による移動と、液体の水での移動のどちらが優勢的であっても、両方の特性を促進して、吸湿性の低い面から吸湿性の高い面へと一方向へ水の輸送が促進されるため、素材の透湿性能を大きく向上するという効果を得ることができる。
【図面の簡単な説明】
【００３４】
【図１】本発明の実施の形態１の全熱交換素子用素材の断面図
【図２】本発明の実施の形態２の全熱交換素子用素材の断面図
【図３】本発明の実施の形態３の全熱交換素子用素材の断面図
【図４】本発明の実施の形態４の全熱交換素子用素材の断面図
【図５】本発明の実施の形態５の全熱交換素子用素材の断面図
【図６】本発明の実施の形態６の全熱交換素子用素材の断面図
【図７】本発明の実施の形態７の全熱交換素子用素材の断面図
【図８】本発明の実施の形態８の全熱交換素子用素材の断面図
【図９】本発明の実施の形態９の全熱交換素子の分解鳥瞰図
【図１０】本発明の実施の形態１０の熱交換形換気装置を水平方向へ輪切りにした断面図
【発明を実施するための形態】
【００３５】
本発明の請求項１記載の全熱交換素子用素材は、吸湿剤を有する平面状で透湿性の素材であって、前記素材の両面に前記吸湿剤を備えて前記素材の両面の内の一方の面を他方の面より吸湿性を高くし、すなわち、前記素材の両面に前記吸湿剤を有し吸湿性の高い面と吸湿性の低い面を備え、かつ前記素材両面の間を相互に前記吸湿剤が移動することを防ぐ構成を特徴とすることで、すなわち、潜熱交換に伴う水分の移動等によって吸湿剤が移動しない構造をとることで、平面状の素材の両面に異なる吸放湿性を持たせたことを特徴とする構成を有する。これにより、水分を吸着する側の弱い吸湿剤によって、水分を吸着する側近傍の素材内部における水分濃度を高め、これを逆側の水分を放出する側の強い吸湿剤によって水分を放出する側近傍の素材表面へ引き寄せることで、素材内の水の輸送として、水蒸気拡散による輸送と、液体の水の拡散による輸送両方を一方向へ促進でき、もって透湿性能を向上させるという効果を奏する。
【００３６】
また、請求項２記載の全熱交換素子用素材は、請求項１記載の全熱交換素子用素材について、基材として多孔質シートを備え、吸湿剤に無機酸塩または有機酸塩または多価アルコールまたは吸湿性高分子を備え、多孔質シートの片側の面に吸湿剤を担持する薄膜ａを備え、多孔質シートの逆側の面に吸湿剤を担持する薄膜ｂを備え、薄膜ａと薄膜ｂの吸湿性が異なる構成にしてもよい。これにより、素材表面に備えた２種類の薄膜によって素材両面に異なる吸放湿性を持たせることができ、素材内の水の輸送として、水蒸気拡散による輸送と、液体の水の拡散による輸送両方を促進することができるので、透湿性能を向上させるという効果を奏する。かつ、多孔質シートにより素材の強度を確保することができるので、全熱交換素子用素材として必要な強度を持たせることができるという効果を奏する。
【００３７】
また、請求項３記載の全熱交換素子用素材は、請求項１記載の全熱交換素子用素材について、基材として多孔質シートを備え、吸湿剤に無機酸塩または有機酸塩または多価アルコールまたは吸湿性高分子を備え、多孔質シートに吸湿剤を担持させ、多孔質シートの片側の面に吸湿剤を担持する薄膜を備え、多孔質シートと薄膜の吸湿性が異なる構成にしてもよい。これにより、素材表面に備えた薄膜と多孔質シートとで異なる吸放湿性を持たせることができ、素材内の水の輸送として、水蒸気拡散による輸送と、液体の水の拡散による輸送両方を促進することができるので、透湿性能を向上させるという効果を奏する。かつ、多孔質シートに素材の強度を確保する効果と、吸湿性という効果とを持たせることができるため、素材の層構造を減少させ、素材を薄くできるという効果を奏する。さらに、吸湿剤を基材へ担持させるため、吸湿剤による吸湿性により、基材の保水性が向上できるという効果を奏する。
【００３８】
また、請求項４記載の全熱交換素子用素材は、請求項１記載の全熱交換素子用素材について、２枚の透湿性の基材（基材ａ、基材ｂ）を備え、吸湿剤に無機酸塩または有機酸塩または多価アルコールまたは吸湿性高分子を備え、基材ａ及び基材ｂにそれぞれ吸湿剤を担持させ、基材ａと基材ｂの吸湿性が異なり、基材ａ及び基材ｂを貼り合わせた構成にしてもよい。これにより、２種類の基材によって素材の両面で異なる吸放湿性を持たせることができ、素材内の水の輸送として、水蒸気拡散による輸送と、液体の水の拡散による輸送両方を促進することができるので、透湿性能を向上させるという効果を奏する。かつ、吸湿剤を両面の基材へ担持させるため、吸湿剤による吸湿性により、素材全体の保水性が向上できるという効果を奏する。
【００３９】
また、請求項５記載の全熱交換素子用素材は、請求項１記載の全熱交換素子用素材について、２枚の透湿性の基材（基材ａ、基材ｂ）を備え、吸湿剤に分子サイズが２ナノメートル以上の吸湿性高分子を備え、基材ａ及び基材ｂにそれぞれ吸湿剤を浸漬もしくは混合し、基材ａと基材ｂの吸湿性が異なり、基材ａ及び基材ｂの間に孔径が２ナノメートル以上２００ナノメートル以下の多孔質シートを挟んで貼り合わせた構成にしてもよい。ＩＵＰＡＣにて限外濾過膜として定義されている孔径が２ナノメートル以上２００ナノメートル以下の多孔質シートは、その孔径に応じてサイズが２ナノメートルから２００ナノメートルの範囲の粒子や高分子を阻止することができる。このシートを備えて基材ａ及び基材ｂの間で吸湿性高分子の移動を阻止することで、素材の両面で異なる吸放湿性を持たせることができ、素材内の水の輸送として、水蒸気拡散による輸送と、液体の水の拡散による輸送両方を促進することができるので、透湿性能を向上させるという効果を奏する。さらに、吸湿性高分子を基材へ担持する必要性がないため、水と結合可能な吸湿性高分子表面の部位が増加するため、吸湿性をより高めることができるという効果を奏する。
【００４０】
また、請求項６記載の全熱交換素子用素材は、請求項１記載の全熱交換素子用素材について、２枚の透湿性の基材（基材ａ、基材ｂ）を備え、基材ａに含まれる吸湿剤ａに、分子サイズが２ナノメートル以上の吸湿性高分子を備え、基材ｂに含まれる吸湿剤ｂに、無機酸塩または有機酸塩または多価アルコールまたは吸湿性高分子を備え、基材ａに吸湿剤ａを浸漬もしくは混合し、基材ｂに吸湿剤ｂを担持し、基材ａと基材ｂの吸湿性が異なり、基材ａ及び基材ｂの間に孔径が２ナノメートル以上２００ナノメートル以下の多孔質シートを挟んで貼り合わせた構成にしてもよい。前記したように、孔径が２ナノメートル以上２００ナノメートル以下の多孔質シートは、その孔径に応じてサイズが２ナノメートルから２００ナノメートルの範囲の粒子や高分子を阻止することができる。このシートを備えて基材ａ及び基材ｂの間で吸湿性高分子の移動を阻止することで、素材の両面で異なる吸放湿性を持たせることができ、素材内の水の輸送として、水蒸気拡散による輸送と、液体の水の拡散による輸送両方を促進することができるので、透湿性能を向上させるという効果を奏する。さらに、吸湿性高分子を基材へ担持する必要性がないため、水と結合可能な吸湿性高分子表面の部位が増加するため、吸湿性をより高めることができるという効果を奏する。
【００４１】
また、請求項７記載の全熱交換素子用素材は、請求項１記載の全熱交換素子用素材について、２枚の透湿性の基材（基材ａ、基材ｂ）を備え、吸湿剤に無機酸塩または有機酸塩または多価アルコールまたは吸湿性高分子を備え、基材ａ及び基材ｂにそれぞれ吸湿剤を浸漬もしくは混合し、基材ａと基材ｂの吸湿性が異なり、基材ａ及び基材ｂの間に孔径が２ナノメートル以下の多孔質シートを挟んで貼り合わせた構成にしてもよい。孔径が２ナノメートル以下の多孔質シートは、逆浸透膜と呼ばれ海水淡水化装置や純水製造装置に使われており、ほぼ全てのイオンや有機化合物等を阻止することができる。このシートを備えて基材ａ及び基材ｂの間でのイオンもしくは有機化合物からなる吸湿剤の移動を阻止することで、素材の両面で異なる吸放湿性を持たせることができ、素材内の水の輸送として、水蒸気拡散による輸送と、液体の水の拡散による輸送両方を促進することができるので、透湿性能を向上させるという効果を奏する。さらに、吸湿剤を基材へ担持する必要性がないため、水と結合可能な吸湿剤の部位が増加するため、吸湿性をより高めることができるという効果を奏する。
【００４２】
また、請求項８記載の全熱交換素子用素材は、請求項１記載の全熱交換素子用素材について、基材として孔径が２ナノメートル以上２００ナノメートル以下の多孔質シートを備え、吸湿剤に分子サイズが２ナノメートル以上の吸湿性高分子を備え、多孔質シートの片側の面に吸湿剤を有する薄膜ａを備え、多孔質シートの逆側の面に吸湿剤を有する薄膜ｂを備え、薄膜ａと薄膜ｂの吸湿性が異なる構成にしてもよい。前記したように、孔径が２ナノメートル以上２００ナノメートル以下の多孔質シートは、その孔径に応じて２ナノメートルから２００ナノメートルの範囲の粒子や高分子を阻止することができる。このシートを備えて基材ａ及び基材ｂの間で吸湿性高分子の移動を阻止することで、素材の両面で異なる吸放湿性を持たせることができ、素材内の水の輸送として、水蒸気拡散による輸送と、液体の水の拡散による輸送両方を促進することができるので、透湿性能を向上させるという効果を奏する。さらに、吸湿性高分子を基材へ担持する必要性がないため、水と結合可能な吸湿性高分子表面の部位が増加するため、吸湿性をより高めることができるという効果を奏する。また、吸湿剤を有する層を薄膜とすることで、素材全体を薄くすることができるという効果を奏する。
【００４３】
また、請求項９記載の全熱交換素子用素材は、請求項１記載の全熱交換素子用素材について、基材として孔径が２ナノメートル以下の多孔質シートを備え、吸湿剤に無機酸塩または有機酸塩または多価アルコールまたは吸湿性高分子を備え、多孔質シートの片側の面に吸湿剤を有する薄膜ａを備え、多孔質シートの逆側の面に吸湿剤を有する薄膜ｂを備え、薄膜ａと薄膜ｂの吸湿性が異なる構成にしてもよい。前記したように、孔径が２ナノメートル以下の多孔質シートは、ほぼ全てのイオンや有機化合物等を阻止することができる。このシートを備えて基材ａ及び基材ｂの間でのイオンもしくは有機化合物からなる吸湿剤の移動を阻止することで、素材の両面で異なる吸放湿性を持たせることができ、素材内の水の輸送として、水蒸気拡散による輸送と、液体の水の拡散による輸送両方を促進することができるので、透湿性能を向上させるという効果を奏する。さらに、吸湿剤を基材へ担持する必要性がないため、水と結合可能な吸湿剤の部位が増加するため、吸湿性をより高めることができるという効果を奏する。また、吸湿剤を有する層を薄膜とすることで、素材全体を薄くすることができるという効果を奏する。
【００４４】
また、請求項１０記載の全熱交換素子用素材は、請求項５、６、８のいずれかに記載の全熱交換素子用素材について、多孔質シートにセラミックス膜を備える構成にしてもよい。これにより、別途素材へ難燃剤を添加することなく、セラミックス膜によって素材へ難燃性を付与することができるという効果を奏する。
【００４５】
また、請求項１１記載の全熱交換素子用素材は、請求項５から９のいずれかに記載の全熱交換素子用素材について、多孔質シートに酢酸セルロース膜を用いる構成にしてもよい。これにより、別途素材へ難燃剤を添加することなく、酢酸セルロース膜によって素材へ難燃性を付与することができるという効果を奏する。
【００４６】
また、請求項１２記載の全熱交換素子用素材は、請求項３、４、６、７のいずれかに記載の全熱交換素子用素材について、少なくとも１枚の基材に多糖類をイオン架橋剤でイオン的に架橋させた架橋体を用いる構成にしてもよい。これにより、多糖類及びイオン架橋剤が吸湿剤としての働きを持ち、かつ、水によって流出することがないため、別途素材へ吸湿剤を含ませることなく、架橋体によって素材へ吸湿性を付与することができるという効果を奏する。
【００４７】
また、請求項１３記載の全熱交換素子用素材は、請求項３記載の全熱交換素子用素材について、多孔質シートの吸湿性が薄膜の吸湿性より高くなる構成にしてもよい。素材内の水分の分配は、全体に均一に広がるか、吸湿性の高い部位に水分が偏るという特徴を持つ。また、薄膜よりも基材の方が厚く、保持できる水分量も多いため、これにより、吸湿性の高い部位を基材側とすることで、素材全体に保持できる水分を増加させ、透湿性能を向上することができるという効果を奏する。
【００４８】
また、請求項１４記載の全熱交換素子用素材は、請求項４から７のいずれかに記載の全熱交換素子用素材について、基材ａの吸湿性が基材ｂの吸湿性より高くなる組み合わせを用い、基材ｂより基材ａの厚みを厚くする構成にしてもよい。前記したように素材内の水分の分配は、全体に均一に広がるか、吸湿性の高い部位に水分が偏るという特徴を持つ。これにより、基材ａの保持できる水分量を基材ｂより増加することで、素材全体に保持できる水分を増加させ、透湿性能を向上することができるという効果を奏する。
【００４９】
また、請求項１５記載の全熱交換素子用素材は、請求項１、２、３、４、６、７のいずれかに記載の全熱交換素子用素材について、基材がセルロースを主体とする分子から構成され、吸湿剤にグアニジン塩を有する構成としてもよい。これにより、グアニジン塩の持つ吸湿性と、セルロースに対する脱水炭化型の難燃作用を素材へ付与することができ、別途素材へ難燃剤を添加することなく、素材へ難燃性を付与することができるという効果を奏する。
【００５０】
また、請求項１６記載の全熱交換素子用素材は、請求項１から１５のいずれかに記載の全熱交換素子用素材について、基材に高吸水性高分子を有する構成としてもよい。これにより、素材の保持できる水分量が増加し、透湿性能を向上させることができるという効果を奏する。
【００５１】
また、請求項１７記載の全熱交換素子用素材は、請求項４から７のいずれかに記載の全熱交換素子用素材について、基材ａの吸湿性が基材ｂの吸湿性より高くなる組み合わせを用い、基材ａに高吸水性高分子を有する構成としてもよい。前記したように素材内の水分の分配は、全体に均一に広がるか、吸湿性の高い部位に水分が偏るという特徴を持つ。これにより、基材ａの保持できる水分量を基材ｂより増加することで、素材全体に保持できる水分量を増加させ、透湿性能を向上することができるという効果を奏する。
【００５２】
また、請求項１８記載の全熱交換素子用素材は、請求項４から７のいずれかに記載の全熱交換素子用素材について、基材ａ及び基材ｂの間に、高吸水性高分子を有するシートを備える構成にしてもよい。これにより、特許文献２にもあるように、高吸水性高分子は水蒸気を吸湿する力が弱いが、液状の水を吸収する力は強いために、基材ａ及び基材ｂの間に液状の水を蓄える層を備えることができる。そして、高吸水性高分子が基材ａと基材ｂとの水の移動を仲介することで、素子へ加工した場合の水分量の平面的な偏りを緩和して乾燥部位からの放湿を促進し、また、素材全体に保持できる水分量を増加するため、透湿性能を向上することができるという効果を奏する。
【００５３】
また、請求項１９記載の全熱交換素子は、請求項１から１８のいずれかに記載の全熱交換素子用素材を伝熱板として用い、吸湿性の高い面同士または吸湿性の低い面同士がそれぞれ向かい合うように、前記伝熱板を互い違いに複数層重ね合わせ、重ね合わせたこれらの各層間を交互に通るように第１流路及び第２流路を構成したものである。これにより、全熱交換素子内に伝熱板の吸湿性が異なる２種類の流路を形成することができ、水分を吸着する流路から水分を放出する流路への素材内の水の輸送として、水蒸気拡散による輸送と、液体の水の拡散による輸送両方を促進することができるので、素子の潜熱交換性能を向上させるという効果を奏する。
【００５４】
また、請求項２０記載の熱交換形換気装置は、請求項１９に記載の全熱交換素子を備えるものである。これにより、潜熱交換性能の高い素子を備えることで、熱交換形換気装置の潜熱回収効率を高めることができるという効果を奏する。
【００５５】
また、請求項２１記載の熱交換形換気装置は、請求項２０記載の熱交換形換気装置について、室外の空気を室内へ取り込み、室内の空気を室外へ排出する熱交換形換気装置において、互いに独立した、室外の空気を通風させる給気流路及び室内の空気を通風させる排気流路を備え、素子の第１流路及び第２流路を接続する流路を、それぞれ給気流路及び排気流路から選択できるように流路を切り替える切り替え手段を備えた構成にしてもよい。これにより、前記全熱交換素子の吸湿性の高い流路へまたは低い流路へ、それぞれ給気流路または排気流路を選択して接続することができ、熱交換形換気装置の潜熱交換効率を高めることができるという効果を奏する。
【００５６】
また、請求項２２記載の熱交換形換気装置は、請求項２１記載の熱交換形換気装置について、室内の空気が室外の空気よりも湿度が高い場合に、吸湿性の高い面が給気流路に含まれるとともに吸湿性の低い面が排気流路に含まれ、室内の空気が室外の空気よりも湿度が低い場合に、吸湿性の高い面が排気流路に含まれるとともに吸湿性の低い面が給気流路に含まれるように流路を切り替える構成としてもよい。これにより、室内及び室外の温度湿度環境の変化に合わせて、素材内の水分輸送が促進される方向と潜熱の回収方向が一致するため、熱交換形換気装置の潜熱交換効率を高めることができるという効果を奏する。
【００５７】
以下、本発明の実施の形態について図面を参照しながら説明する。
【００５８】
（実施の形態１）
図１に断面図を示すように、多孔質シートａ１と、薄膜ａ２、薄膜ｂ３からなる全熱交換素子用素材は、吸湿剤に無機酸塩または有機酸塩または多価アルコールまたは吸湿性高分子を備え、多孔質シートａ１の片側の面、すなわち多孔質シートａ１の一方の面に吸湿剤を担持する薄膜ａ２を備え、多孔質シートａ１の逆側の面、すなわち多孔質シートａ１の他方の面に吸湿剤を担持する薄膜ｂ３を備え、薄膜ａ２と薄膜ｂ３に含まれる吸湿剤の吸湿性能が異なり、薄膜ａ２に含まれる吸湿剤の吸湿性能が薄膜ｂ３に含まれる吸湿剤の吸湿性能よりも低いものを使用して、薄膜ａ２の吸湿性を薄膜ｂ３の吸湿性よりも低くしている。
【００５９】
例えば、具体的には、多孔質シートとしてポリエチレンを主成分とし、親水性を高めるためにポリビニルアルコールを２０％含有する高分子素材を用い、薄膜ａ２にポリオキシエチレンを用いて塩化カルシウムを吸湿剤として担持し、薄膜ｂ３にポリオキシエチレンを用いて塩化リチウムを吸湿剤として担持した構成が挙げられる。
【００６０】
なお、薄膜ａ２と薄膜ｂ３に吸湿性能が同じ吸着剤を使い、吸湿剤の薄膜ａ２に担持する担持量を薄膜ｂ３に担持する担持量よりも少なくして、薄膜ａ２の吸湿性を薄膜ｂ３の吸湿性よりも低くしても良い。
【００６１】
この構成により、薄膜ａ２において水が吸湿され、薄膜ａ２が湿潤状態となる。吸湿された水は、水蒸気拡散及び表面拡散及び毛細管輸送により多孔質シートａ１内へ拡散する。多孔質シートａ１内を拡散した水は、薄膜ｂ３へ到達し、薄膜ｂ３から蒸発する。このとき、薄膜ａ２において一度水を集めて薄膜ａ２内部の相対湿度を上昇させたうえで、薄膜ａ２よりも薄膜ｂ３が高い吸湿性を持つ、つまり、水蒸気圧が低く、かつ水の可動性が低い箇所とすることで、薄膜ａ２から薄膜ｂ３へ至る水蒸気拡散による水蒸気の輸送及び表面拡散及び毛細管輸送による液体の水の輸送を促進することができる。そして、薄膜ｂ３内部に水を集めることで、相対湿度を上げ、かつ水と空気の界面を広げることで、薄膜ｂ３からの水の蒸発量を増加でき、水の輸送の促進と合わせて、薄膜ａ２から薄膜ｂ３方向への透湿性能を向上させることができる。さらに薄膜に吸湿剤を担持することで、吸湿剤が水に溶け出し素材両面の間を相互に移動することを防ぐことができ、この両面における吸湿性の差を保つことができる。つまり、薄膜ａ２および薄膜ｂ３に吸湿剤を担持することで吸湿剤が薄膜に固定され、したがって、水に吸湿剤が溶け出し水の移動である表面拡散及び毛細管輸送において水とともに水の放出側へ移動することを防ぐことができ、よって薄膜ａ２と薄膜ｂ３との吸湿性の差が保つことができるので前記水の輸送の促進を継続的に行うことができる。
【００６２】
本発明における多孔質シートとは、透湿性と伝熱性を兼ね備えたものであり、例えば、多孔質の高分子膜があげられ、具体的にはポリエチレン、ポリカーボネート、ポリエステル、酢酸セルロース、芳香族ポリアミド、ポリビニルアルコール、ポリスルホン、セルロース等が原料となる。また、パルプや合成繊維からなる紙や不織布、織布等の細かい孔を有するものも上げられ、具体的には、セルロースを主成分とする木材パルプ、レーヨン、綿、麻等や、セルロース誘導体である酢酸セルロース等、動物性繊維である羊毛、絹等、合成繊維であるアクリル繊維等、無機繊維であるガラス繊維や炭素繊維等、合成繊維であるポリエステル、ポリビニルアルコール等が原料となる。さらに、多孔質無機素材も上げられ、具体的にはセラミックスやシリカゲル等を主成分とするものが含まれる。特に本発明においては、水蒸気による拡散及び液体の水による拡散の双方を促進できるため、原理的には親水性の多孔質シート及び疎水性の多孔質シートの双方が共に適している。そのため、本発明は様々な湿度の環境へ適用可能であり、例えば本発明における素材を湿度の低い環境で使用する場合、親水性の多孔質シートでは多孔質シート内へ吸い込まれる水が損失となるため、上記多孔質シートなかでもポリエチレンや炭素繊維等の疎水性の多孔質シートが好適である。反対に、湿度の高い環境で使用する場合、液体での水の輸送が重要となる他、素材全体に保持できる水分量を上げることが必要となるため、上記多孔質シートなかでも親水性のもの、具体的には、木材パルプや、ポリビニルアルコール等の親水性物質を有するものが好適である。なおこの場合は、疎水性物質、具体的にはポリエチレンや炭素繊維等を主成分とし、前記親水性成分を有することで、親水性を持つものも好適である。
【００６３】
さらに、多糖類をイオン架橋剤でイオン的に架橋させた架橋体を多孔質シートに用いることで、イオン架橋剤及び多糖類が吸湿性物質としての働きを持つため、吸湿性物質を添加せずに架橋体を用いた基材に吸湿性を持たせることができ、好適である。
【００６４】
そのうえ、基材が高吸水性高分子を有することで、素材全体に保持できる水分量が増加し、透湿性能を向上させることができるので好適である。
【００６５】
本発明における高吸水性高分子とは、高い水分保持性を持つ親水性高分子化合物であり、その架橋構造内に自重の１０倍以上の水を保持する。素材として、ポリアクリル酸塩、デンプン、ポリビニルアルコール、カルボキシルメチルセルロース等が挙げられる。高吸水性高分子は高分子中のカルボキシル基等の官能基がイオン的に反発し、また水と結合することで多くの水分子を吸収する機構のため、塩に弱い。このため、イオン性の吸湿剤を備える場合は、高吸水性高分子の中でも高吸水性高分子内にスルホ基やメチル基、メトキシ基、メチルアミノ基、水酸基等の官能基を追加することにより耐塩性を持つものがより好適である。
【００６６】
本発明における薄膜とは、素材のうち基材となる部分よりも薄く、それ単体において、熱交換素子用素材としての強度を得ることができないものを指す。
【００６７】
吸湿剤としての無機酸塩とは、具体的には、塩化リチウム、塩化カルシウム、塩化マグネシウム、塩化鉄等のハロゲン化物や、スルファミン酸グアニジン、塩酸グアニジン、燐酸グアニジン等のグアニジン塩、硝酸銀や硝酸リチウム等の硝酸塩、硫酸マンガン等の硫酸塩等が挙げられる。
【００６８】
吸湿剤としての有機酸塩は、乳酸ナトリウム、乳酸カルシウム、ピロリドンカルボン酸ナトリウム、コンドロイチン硫酸ナトリウム等があげられる。
【００６９】
吸湿剤としての多価アルコールは、グリセリン、エチレングリコール、トリエチレングリコール等が挙げられる。
【００７０】
吸湿剤としての吸湿性高分子としては、ポリアクリル酸、ポリグルタミン酸及びその塩または架橋物や、ペクチン、ジェランガム等及びその架橋物、ポリエチレングリコールや、ポリグリセリン等及びその重合体が挙げられる。
【００７１】
吸湿剤としては特に、吸湿性が高く、物性が安定していて、人体への毒性が低い塩化リチウムや、塩化カルシウム等が望ましい。
【００７２】
また、基材にセルロースが主体となったものを備える場合、吸湿剤としてグアニジン塩を備えることで、グアニジン塩がセルロースに対し脱水炭化型の難燃作用を有することから、素材に難燃性を付与でき好適である。
【００７３】
本発明における吸湿剤の担持とは、吸湿剤を基礎となる物質に結合させ、水によって流失しないようにすることを指す。例えば吸湿剤としてアルカリ金属塩またはアルカリ土類金属塩を備え、かつ、基礎となる物質にポリオキシエチレンを有することで、ポリオキシエチレンによるアルカリ金属塩またはアルカリ土類金属塩の担持ができる。これは、前記塩化リチウムや塩化カルシウムも担持できる方法である。また、例えば、吸湿剤に乳酸ナトリウム等のカルボキシル基を持つ有機酸塩を備え、分子内にエポキシ基を２つ以上持つ多官能エポキシ樹脂と架橋させることで担持することができる。また、例えば、乳酸ナトリウムやグリセリン、エチレングリコール等の吸湿剤は、重合させることでそれぞれポリ乳酸、ポリグリセリン、ポリエチレングリコール等の高分子となり、それら吸湿性高分子をセルロースやポリエチレン等の繊維と架橋させることで担持することができる。
【００７４】
なお、全熱交換素子用素材として、強度及び難燃性も重要な性質であるが、例えば難燃性を増すための物質、具体的には水酸化アルミニウム等、を有することによって、吸湿剤以外の物質が素材の吸湿性能に影響を与えることもあるため、本発明における吸湿剤とは、素材への添加物として、素材の吸湿性能に影響を与えるものを指す。
【００７５】
なお、実施の形態において吸湿剤の種類を変えたが、吸湿剤の量を変えることで、素材両面の吸湿性に差をつけても良い。
【００７６】
なお、実施の形態において吸湿剤の種類を変えたが、吸湿剤を有する部材の種類や、含有・担持方法により吸湿性能を変えても良い。具体的には、例えば吸湿剤としてポリ乳酸を備え、片側の面へメバロノラクトンを加えたポリ乳酸架橋体を備えることで、ポリ乳酸の分岐度を増加させ、ポリ乳酸の表面にある水分子と相互作用を持つ官能基数を増やし、吸湿性を増加させる例が挙げられる。
【００７７】
なお、全熱交換素子用素材として、ガスバリア性も重要な性質であり、多孔質シートａ１と、薄膜ａ２と、薄膜ｂ３とのいずれか少なくとも１つがガスバリア性を備えると好適である。
【００７８】
（実施の形態２）
実施の形態１と同一な部分は同一符号を記して詳細な説明は省略する。
【００７９】
図２に断面図を示すように、基材として多孔質シートｂ４を備え、吸湿剤に無機酸塩または有機酸塩または多価アルコールまたは吸湿性高分子を備え、多孔質シートｂ４に吸湿剤を担持させ、多孔質シートの片側の面に吸湿剤を担持する薄膜ｃ５を備え、多孔質シートｂ４が薄膜ｃ５よりも吸湿性が高い構成とする。
【００８０】
この構成により、薄膜ｃ５において水が吸湿され、湿潤状態となる。吸湿された水は、水蒸気拡散及び表面拡散及び毛細管輸送により多孔質シートｂ４内へ拡散し蒸発する。このとき、薄膜ｃ５において一度水を集めて薄膜ｃ５内部の相対湿度を上昇させたうえで、多孔質シートｂ４が吸湿性を持ち水の可動性が低く、水蒸気分圧の低い箇所とすることで、薄膜ｃ５から多孔質シートｂ４へ至る水蒸気拡散と、表面拡散及び毛細管輸送による液体の水の輸送とを促進することができる。そして、多孔質シートｂ４の内部に水を集めることで、相対湿度を上げ、かつ水と空気の界面を広げることで、多孔質シートｂ４からの水の蒸発量を増加でき、水の輸送の促進と合わせて、薄膜ｃ５から多孔質シートｂ４方向への透湿性能を向上させることができる。
【００８１】
さらに、この構成により、多孔質シートｂ４に素材の強度を確保する効果と、吸湿性という効果とを持たせることができるため、素材の層構造を２層のみとし、素材を薄くできる。
【００８２】
その上、吸湿剤を多孔質シートｂ４へ担持させるため、吸湿剤により多孔質シートｂ４の保水性が向上でき、素材の保水量を高めることで透湿性能を向上することができる。
【００８３】
なお、本実施の形態では、薄膜ｃ５に比べ厚みのある多孔質シートｂ４を吸湿性の高い側にした。この構成により、素材内の水分の分配が全体に均一に広がるか吸湿性の高い部位に水分が偏るという特徴を生かし、多孔質シートｂ４と薄膜ｃ５からなる素材全体に保持できる水分を増加させ、透湿性能を向上することができるのでより好適である。
【００８４】
（実施の形態３）
実施の形態１または２のいずれかと同一な部分は同一符号を記して詳細な説明は省略する。
【００８５】
図３に断面図を示すように、２枚の透湿性の多孔質シート（多孔質シートｃ６、多孔質シートｄ７）を備え、吸湿剤に無機酸塩または有機酸塩または多価アルコールまたは吸湿性高分子を備え、多孔質シートｃ６及び多孔質シートｄ７にそれぞれ吸湿剤を担持させ、多孔質シートｃ６が多孔質シートｄ７よりも吸湿性が高く、多孔質シートｃ６及び多孔質シートｄ７を貼り合わせた構成とする。
【００８６】
この構成により、多孔質シートｄ７において水が吸湿され、湿潤状態となる。吸湿された水は、水蒸気拡散及び表面拡散及び毛細管輸送により多孔質シートｃ６内へ拡散し蒸発する。このとき、多孔質シートｄ７において一度水を集めて多孔質シートｄ７内部の相対湿度を上昇させたうえで、多孔質シートｃ６が吸湿性を持ち水の可動性が低い箇所とすることで、多孔質シートｄ７から多孔質シートｃ６へ至る水蒸気拡散と、表面拡散及び毛細管輸送による液体の水の輸送を促進することができる。そして、多孔質シートｃ６の内部に水を集めることで、相対湿度を上げ、かつ水と空気の界面を広げることで、多孔質シートｃ６からの水の蒸発量を増加でき、水の輸送の促進と合わせて、多孔質シートｄ７から多孔質シートｃ６方向への透湿性能を向上させることができる。
【００８７】
貼り合わせる方法としては、熱溶着や圧着、接着剤を用いる方法等が挙げられるが、接着剤を用いる場合、接着剤は具体的には例えば、ポリエチレンやポリ酢酸ビニル、ポリエステル樹脂、ポリプロピレン系樹脂が挙げられる。
【００８８】
なお、前記接着剤を用いた場合、接着剤がガスバリア性を有するため、多孔質シートｃ６及び多孔質シートｄ７にガスバリア性を持たせる必要が無く好適である。
【００８９】
なお、本実施の形態において２枚の基材に多孔質シートを備えたが、例えばガスバリア性を素材へ備えるためなどの必要性に応じて、基材のどちらか少なくとも１枚に透湿性の無孔質シートを備えてもよく、その作用効果に差異は生じない。
【００９０】
なお、多孔質シートｃ６を多孔質シートｄ７よりも厚いシートとする構成は、素材内の水分の分配が全体に均一に広がるか吸湿性の高い部位に水分が偏るという特徴を生かし、多孔質シートｃ６と多孔質シートｄ７からなる素材全体に保持できる水分を増加させ、透湿性能を向上することができるのでより好適である。
【００９１】
なお、多孔質シートｃ６が多孔質シートｄ７よりも多く高吸水性高分子を有する構成は、素材内の水分の分配が全体に均一に広がるか吸湿性の高い部位に水分が偏るという特徴を生かし、多孔質シートｃ６と多孔質シートｄ７からなる素材全体に保持できる水分を増加させ、透湿性能を向上することができるのでより好適である。
【００９２】
なお、多孔質シートｃ６と多孔質シートｄ７の間に高吸水性高分子を有するシートを挟むことで、高吸水性高分子が多孔質シートｃ６と多孔質シートｄ７との水の移動を仲介することで、素子へ加工した場合の水分量の平面的な偏りを緩和して乾燥部位からの放湿を促進し、また、多孔質シートｃ６と多孔質シートｄ７からなる素材全体に保持できる水分を増加させ、透湿性能を向上することができるのでより好適である。
【００９３】
（実施の形態４）
実施の形態１から３のいずれかと同一な部分は同一符号を記して詳細な説明は省略する。
【００９４】
図４に断面図を示すように、２枚の透湿性の多孔質シート（多孔質シートｅ８、多孔質シートｆ９）を備え、吸湿剤に分子サイズが２ナノメートル以上の吸湿性高分子、例えば平均分子量１０７５から２４００、重合度で２４から５４のポリエチレングリコール等、好ましくは平均分子量１５００程度の重合度が３３から３４程度のポリエチレングリコール等、を備え、多孔質シートｅ８及び多孔質シートｆ９にそれぞれポリエチレングリコールを備え、多孔質シートｅ８と多孔質シートｆ９においてポリエチレングリコールの量を変えることで多孔質シートｅ８よりも多孔質シートｆ９の吸湿性が高く、多孔質シートｅ８及び多孔質シートｆ９の間に孔径が２００ナノメートル以下２ナノメートル以上の透湿性の限外濾過膜１０、例えば孔径が２ナノメートル、分画分子量１０００のポリエーテルスルホン膜、を挟んで貼り合わせた構成とする。
【００９５】
この構成により、例として挙げたポリエチレングリコールをはじめとする吸湿性高分子が限外濾過膜１０によって移動を制限されるために、多孔質シートｅ８及び多孔質シートｆ９の吸湿性の違いを水分移動後も保つことができる。
【００９６】
そのため、まず多孔質シートｅ８において水が吸湿され、湿潤状態となる。吸湿された水は、水蒸気拡散及び表面拡散及び毛細管輸送により限外濾過膜１０内へ拡散し蒸発する。そこで、多孔質シートｅ８において一度水を集めて多孔質シートｅ８内部の相対湿度を上昇させたうえで、多孔質シートｆ９が吸湿性を持ち、水蒸気分圧が低く、かつ、水の可動性が低い箇所とすることで、多孔質シートｅ８から限外濾過膜１０を通過し多孔質シートｆ９へ至る水蒸気拡散と、表面拡散及び毛細管輸送による液体の水の輸送とを促進することができる。そして、多孔質シートｆ９の内部に水を集めることで、相対湿度を上げ、かつ水と空気の界面を広げることで、多孔質シートｆ９からの水の蒸発量を増加でき、水の輸送の促進と合わせて、多孔質シートｅ８から多孔質シートｆ９方向への透湿性能を向上させることができる。
【００９７】
本発明における分子サイズが２ナノメートル以上の吸湿性高分子とは、本実施の形態４では重合度が３３程度のポリエチレングリコールを例示したが、限外濾過膜１０における阻止率が８５％以上、好ましくは９０％以上あるものが必要であるため、備える限外濾過膜１０の分画分子量によって、本実施の形態４で例示したように、備える吸湿性高分子の分子量の実際の下限が規定される。また、一般的に吸湿性高分子はその重合度が高くなるほど吸湿性が低下するので、必要とされる吸湿性の強さによって、重合度の上限、すなわち分子量の上限が規定される。
【００９８】
本発明における限外濾過膜１０は、孔径が約２ナノメートルから約２００ナノメートルの多孔質シートであり、一般的に分画分子量は１０００から３０００００程度の性能のものが市販されている。材質は、ポリプロピレン、ポリアクリロニトリル、ポリスルホン、ポリエーテルスルホン、酢酸セルロース、セラミックス等が挙げられ、その中でも、ポリエーテルスルホン、酢酸セルロース等を用いた分画分子量の小さな濾過膜が好適である。
また、限外濾過膜１０にセラミックス膜または酢酸セルロース膜を備えることで素材へ難燃性を付加することができるため、好適である。
【００９９】
なお、実施の形態では、限外濾過膜１０を備えたが、同等以上の分画性能を持つ膜であれば、本発明の効果を得ることができ、例えば、孔径が１から２ナノメートル前後のナノフィルター膜も適している。
【０１００】
なお、本実施の形態において２枚の基材に多孔質シートを備えたが、例えばガスバリア性を素材へ備えるためなどの必要性に応じて、基材のどちらか少なくとも１枚に透湿性の無孔質シートを備えてもよく、その作用効果に差異は生じない。
【０１０１】
なお、多孔質シートｅ８を多孔質シートｆ９よりも厚いシートとする構成は、素材内の水分の分配が全体に均一に広がるか吸湿性の高い部位に水分が偏るという特徴を生かし、多孔質シートｅ８と多孔質シートｆ９、限外濾過膜１０からなる素材全体に保持できる水分を増加させ、透湿性能を向上することができるのでより好適である。
【０１０２】
なお、多孔質シートｅ８が多孔質シートｆ９よりも多く高吸水性高分子を有する構成は、素材内の水分の分配が全体に均一に広がるか吸湿性の高い部位に水分が偏るという特徴を生かし、多孔質シートｅ８と多孔質シートｆ９、限外濾過膜１０からなる素材全体に保持できる水分を増加させ、透湿性能を向上することができるのでより好適である。
【０１０３】
なお、多孔質シートｅ８と多孔質シートｆ９の間に高吸水性高分子を有するシートを挟む構成により、高吸水性高分子が多孔質シートｅ８と多孔質シートｆ９との水の移動を仲介することで、素子へ加工した場合の水分量の平面的な偏りを緩和して乾燥部位からの放湿を促進し、また、多孔質シートｅ８と多孔質シートｆ９、限外濾過膜１０からなる素材全体に保持できる水分を増加させ、透湿性能を向上することができるのでより好適である。
【０１０４】
（実施の形態５）
実施の形態１から４のいずれかと同一な部分は同一符号を記して詳細な説明は省略する。
【０１０５】
図５に断面図を示すように、２枚の透湿性の多孔質シート（多孔質シートｅ８、多孔質シートｇ１１）を備え、多孔質シートｅ８に含まれる吸湿剤に分子サイズが２ナノメートル以上の吸湿性高分子を備え、多孔質シートｇ１１に含まれる吸湿剤に無機酸塩または有機酸塩または多価アルコールまたは吸湿性高分子を備え、多孔質シートｅ８に吸湿剤を浸漬もしくは混合し、多孔質シートｇ１１に吸湿剤を担持し、多孔質シートｅ８より多孔質シートｇ１１の吸湿性が高く、多孔質シートｅ８及び多孔質シートｇ１１の間に孔径が２００ナノメートル以下２ナノメートル以上の透湿性の限外濾過膜１０を挟んで貼り合わせた構成とする。
【０１０６】
この構成により、多孔質シートｅ８に含まれる吸湿性高分子が限外濾過膜１０によって移動を制限され、多孔質シートｇ１１に含まれる吸湿剤が多孔質シートｇ１１内へ保持されるために、多孔質シートｅ８及び多孔質シートｇ１１の吸湿性の違いを水分移動後も保つことができる。
【０１０７】
そのため、まず多孔質シートｅ８において水が吸湿され、湿潤状態となる。吸湿された水は、水蒸気拡散及び表面拡散及び毛細管輸送により限外濾過膜１０内へ拡散し蒸発する。そこで、多孔質シートｅ８において一度水を集めて多孔質シートｅ８内部の相対湿度を上昇させたうえで、多孔質シートｇ１１が吸湿性を持ち、水蒸気分圧が低く、かつ、水の可動性が低い箇所とすることで、多孔質シートｅ８から限外濾過膜１０を通過し多孔質シートｇ１１へ至る水蒸気拡散と、表面拡散及び毛細管輸送による液体の水の輸送とを促進することができる。そして、多孔質シートｇ１１の内部に水を集めることで、相対湿度を上げ、かつ水と空気の界面を広げることで、多孔質シートｇ１１からの水の蒸発量を増加でき、水の輸送の促進と合わせて、多孔質シートｅ８から多孔質シートｇ１１方向への透湿性能を向上させることができる。
【０１０８】
なお、実施の形態では、限外濾過膜１０を備えたが、同等以上の分画性能を持つ膜であれば、本発明の効果を得ることができ、例えば、孔径が１から２ナノメートル前後のナノフィルター膜等も適している。
【０１０９】
なお、本実施の形態において２枚の基材に多孔質シートを備えたが、例えばガスバリア性を素材へ備えるためなどの必要性に応じて、基材のどちらか少なくとも１枚に透湿性の無孔質シートを備えてもよく、その作用効果に差異は生じない。
【０１１０】
なお、多孔質シートｅ８を多孔質シートｇ１１よりも厚いシートとする構成は、素材内の水分の分配が全体に均一に広がるか吸湿性の高い部位に水分が偏るという特徴を生かし、多孔質シートｅ８と多孔質シートｇ１１、限外濾過膜１０からなる素材全体に保持できる水分を増加させ、透湿性能を向上することができるのでより好適である。
【０１１１】
なお、多孔質シートｅ８が多孔質シートｇ１１よりも多く高吸水性高分子を有する構成は、素材内の水分の分配が全体に均一に広がるか吸湿性の高い部位に水分が偏るという特徴を生かし、多孔質シートｅ８と多孔質シートｇ１１、限外濾過膜１０からなる素材全体に保持できる水分を増加させ、透湿性能を向上することができるのでより好適である。
【０１１２】
なお、多孔質シートｅ８と多孔質シートｇ１１の間に高吸水性高分子を有するシートを挟む構成により、高吸水性高分子が多孔質シートｅ８と多孔質シートｇ１１との水の移動を仲介することで、素子へ加工した場合の水分量の平面的な偏りを緩和して乾燥部位からの放湿を促進し、また、多孔質シートｅ８と多孔質シートｇ１１、限外濾過膜１０からなる素材全体に保持できる水分を増加させ、透湿性能を向上することができるのでより好適である。
【０１１３】
（実施の形態６）
実施の形態１から５のいずれかと同一な部分は同一符号を記して詳細な説明は省略する。
【０１１４】
図６に断面図を示すように、２枚の透湿性の多孔質シート（多孔質シートｈ１２、多孔質シートｉ１３）を備え、吸湿剤に無機酸塩または有機酸塩または多価アルコールまたは吸湿性高分子を備え、多孔質シートｈ１２及び多孔質シートｉ１３にそれぞれ吸湿剤、例えばそれぞれ塩化リチウム及び塩化カルシウムを備え、多孔質シートｈ１２よりも多孔質シートｉ１３の吸湿性が高く、多孔質シートｈ１２及び多孔質シートｉ１３の間に孔径が２ナノメートル以下の透湿性の逆浸透膜１４、例えば塩化ナトリウムイオン阻止率が９０％以上の芳香族ポリアミド膜を挟んで貼り合わせた構成とする。
【０１１５】
この構成により、多孔質シートｈ１２及び多孔質シートｉ１３に含まれる吸湿剤が逆浸透膜１４によって移動を制限されるために、多孔質シートｈ１２及び多孔質シートｉ１３の吸湿性の違いを水分移動後も保つことができる。
【０１１６】
そのため、まず多孔質シートｈ１２において水が吸湿され、湿潤状態となる。吸湿された水は、水蒸気拡散及び表面拡散及び毛細管輸送により逆浸透膜１４内へ拡散し蒸発する。そこで、多孔質シートｈ１２において一度水を集めて多孔質シートｈ１２内部の相対湿度を上昇させたうえで、多孔質シートｉ１３が吸湿性を持ち、水蒸気分圧が低く、かつ、水の可動性が低い箇所とすることで、多孔質シートｈ１２から逆浸透膜１４を通過し多孔質シートｉ１３へ至る水蒸気拡散と、表面拡散及び毛細管輸送による液体の水の輸送とを促進することができる。そして、多孔質シートｉ１３の内部に水を集めることで、相対湿度を上げ、かつ水と空気の界面を広げることで、多孔質シートｉ１３からの水の蒸発量を増加でき、水の輸送の促進と合わせて、多孔質シートｈ１２から多孔質シートｉ１３方向への透湿性能を向上させることができる。
【０１１７】
本発明における逆浸透膜１４とは、孔径が２ナノメートル以下の多孔質シートであり、その孔径に応じて、ほぼ全てのイオンや有機化合物等を阻止することができる。孔径の上限は備える吸湿剤の種類によって変化し、本実施の形態において例示したように、吸湿剤に使われる分子を透過しないような塩化ナトリウムイオン阻止率や２価イオン阻止率を持つ孔径といった形で上限が規定される。また、孔径が極端に小さくなると透湿性も失われることから、孔径の下限は透湿性を有する下限として規定される。材質は酢酸セルロースや芳香族ポリアミド、ポリビニルアルコール、ポリスルホン等が挙げられ、水の透過に適する親水性の酢酸セルロース等や、塩類の阻止率が高い芳香族ポリアミド等が好適である。
【０１１８】
また、逆浸透膜１４に酢酸セルロース膜を備えることで素材へ難燃性を付加することができるため、好適である。
【０１１９】
なお、実施の形態において逆浸透膜１４を備えたが、同等以上の分画性能を持つ膜であれば、その作用効果に差異は生じず、例えば、イオンを通さない無孔質の透水膜も適している。
【０１２０】
なお、本実施の形態において２枚の基材に多孔質シートを備えたが、例えばガスバリア性を素材へ備えるためなどの必要性に応じて、基材のどちらか少なくとも１枚に透湿性の無孔質シートを備えてもよく、その作用効果に差異は生じない。
【０１２１】
なお、多孔質シートｈ１２を多孔質シートｉ１３よりも厚いシートとする構成は、素材内の水分の分配が全体に均一に広がるか吸湿性の高い部位に水分が偏るという特徴を生かし、多孔質シートｈ１２と多孔質シートｉ１３、逆浸透膜１４からなる素材全体に保持できる水分を増加させ、透湿性能を向上することができるのでより好適である。
【０１２２】
なお、多孔質シートｈ１２が多孔質シートｉ１３よりも多く高吸水性高分子を有する構成は、素材内の水分の分配が全体に均一に広がるか吸湿性の高い部位に水分が偏るという特徴を生かし、多孔質シートｈ１２と多孔質シートｉ１３、逆浸透膜１４からなる素材全体に保持できる水分を増加させ、透湿性能を向上することができるのでより好適である。
【０１２３】
なお、多孔質シートｈ１２と多孔質シートｉ１３の間に高吸水性高分子を有するシートを挟む構成により、高吸水性高分子が多孔質シートｈ１２と多孔質シートｉ１３との水の移動を仲介することで、素子へ加工した場合の水分量の平面的な偏りを緩和して乾燥部位からの放湿を促進し、また、多孔質シートｈ１２と多孔質シートｉ１３、逆浸透膜１４からなる素材全体に保持できる水分を増加させ、透湿性能を向上することができるのでより好適である。
【０１２４】
（実施の形態７）
実施の形態１から６のいずれかと同一な部分は同一符号を記して詳細な説明は省略する。
【０１２５】
図７に断面図を示すように、基材として孔径が２００ナノメートル以下２ナノメートル以上の限外濾過膜１０を備え、吸湿剤に分子サイズが２ナノメートル以上の吸湿性高分子を備え、限外濾過膜１０の片側の面に吸湿剤を有する薄膜ｄ１５を備え、限外濾過膜１０の逆側の面に吸湿剤を有する薄膜ｆ１６を備え、薄膜ｄ１５より薄膜ｆ１６の吸湿性が高い構成とする。
【０１２６】
この構成により、吸湿性高分子が限外濾過膜１０によって移動を制限されるために、薄膜ｄ１５及び薄膜ｆ１６の吸湿性の違いを水分移動後も保つことができる。
【０１２７】
そのため、まず薄膜ｄ１５において水が吸湿され、湿潤状態となる。吸湿された水は、水蒸気拡散及び表面拡散及び毛細管輸送により限外濾過膜１０内へ拡散し蒸発する。そこで、薄膜ｄ１５において一度水を集めて薄膜ｄ１５内部の相対湿度を上昇させたうえで、薄膜ｆ１６が吸湿性を持ち、水蒸気分圧が低く、かつ、水の可動性が低い箇所とすることで、薄膜ｄ１５から限外濾過膜１０を通過し薄膜ｆ１６へ至る水蒸気拡散と、表面拡散及び毛細管輸送による液体の水の輸送とを促進することができる。そして、薄膜ｆ１６の内部に水を集めることで、相対湿度を上げ、かつ水と空気の界面を広げることで、薄膜ｆ１６からの水の蒸発量を増加でき、水の輸送の促進と合わせて、薄膜ｄ１５から薄膜ｆ１６方向への透湿性能を向上させることができる。
【０１２８】
本実施の形態における限外濾過膜１０は、全熱交換素子用素材として素材の強度を持たせる役割も担っているため、前記したポリプロピレン、ポリアクリロニトリル、ポリスルホン、ポリエーテルスルホン、酢酸セルロース、セラミックス等の材質の中で、ポリスルホン、セラミックス等の強度の強いもの、または透水性を阻害しない程度に膜厚を持たせたものが好適である。
【０１２９】
なお、実施の形態では、限外濾過膜１０を備えたが、同等以上の分画性能及び強度を持つ膜であれば、その作用効果に差異は生じず、例えば、孔径が１から２ナノメートル前後のナノフィルター膜等も適している。
【０１３０】
（実施の形態８）
実施の形態１から７のいずれかと同一な部分は同一符号を記して詳細な説明は省略する。
【０１３１】
図８に断面図を示すように、基材として孔径が２ナノメートル以下の逆浸透膜１４を備え、吸湿剤に無機酸塩または有機酸塩または多価アルコールまたは吸湿性高分子を備え、逆浸透膜１４の片側の面に吸湿剤を有する薄膜ｇ１７を備え、逆浸透膜１４の逆側の面に吸湿剤を有する薄膜ｈ１８を備え、薄膜ｇ１７より薄膜ｈ１８の吸湿性が高い構成とする。
【０１３２】
この構成により、吸湿性高分子が逆浸透膜１４によって移動を制限されるために、薄膜ｇ１７及び薄膜ｈ１８の吸湿性の違いを水分移動後も保つことができる。
【０１３３】
そのため、まず薄膜ｇ１７において水が吸湿され、湿潤状態となる。吸湿された水は、水蒸気拡散及び表面拡散及び毛細管輸送により逆浸透膜１４内へ拡散し蒸発する。そこで、薄膜ｇ１７において一度水を集めて薄膜ｇ１７内部の相対湿度を上昇させたうえで、薄膜ｈ１８が吸湿性を持ち、水蒸気分圧が低く、かつ、水の可動性が低い箇所とすることで、薄膜ｇ１７から逆浸透膜１４を通過し薄膜ｈ１８へ至る水蒸気拡散と、表面拡散及び毛細管輸送による液体の水の輸送とを促進することができる。そして、薄膜ｈ１８の内部に水を集めることで、相対湿度を上げ、かつ水と空気の界面を広げることで、薄膜ｈ１８からの水の蒸発量を増加でき、水の輸送の促進と合わせて、薄膜ｇ１７から薄膜ｈ１８方向への透湿性能を向上させることができる。
【０１３４】
本実施の形態における逆浸透膜１４は、全熱交換素子用素材として素材の強度を持たせる役割も担っているため、前記した酢酸セルロースや芳香族ポリアミド、ポリビニルアルコール、ポリスルホン等の材質の中で、ポリスルホン等の塩類阻止性はやや低いが強度の強いものを芳香族ポリアミドや酢酸セルロースへ重ね合わせて強度を持たせたものが好適である。
【０１３５】
なお、実施の形態において逆浸透膜１４を備えたが、同等以上の分画性能及び強度を持つ膜であれば、その作用効果に差異は生じず、例えば、イオンを通さない無孔質の透水膜も適している。
【０１３６】
（実施の形態９）
実施の形態１から８のいずれかと同一な部分は同一符号を記して詳細な説明は省略する。図９に分解鳥瞰図を示すように、熱交換素子として前記実施の形態１に示した全熱交換素子用素材を伝熱板として備え、伝熱板の吸湿性の高い第１面１９同士または吸湿性の低い第２面２０同士がそれぞれ向かい合うように、前記伝熱板を互い違いに複数層重ね合わせ、これらの各層間を交互に通り、伝熱板の吸湿性の高い第１面１９から構成された第１流路２１及び吸湿性の低い第２面２０から構成された第２流路２２を備える構成とする。この構成により、全熱交換素子内に伝熱板の吸湿性が異なる２種類の流路を形成することができ、第２流路２２から第１流路２１への素材内の水の輸送として、水蒸気拡散による輸送と、液体の水の拡散による輸送両方を促進することができるので、熱交換素子の潜熱交換性能を向上できる。
【０１３７】
なお、本実施の形態では伝熱板として実施の形態１に示したものを備えたが、実施の形態１から８に示した全熱交換素子用素材であれば、どれを用いても良い。
【０１３８】
なお、本実施の形態では、直交流型の素子を例示したが、対向流型や平行流型等の静止型素子であり、空気対空気で顕熱及び潜熱の交換を行う全熱交換素子であれば、どれを用いても良い。
【０１３９】
（実施の形態１０）
実施の形態１から９のいずれかと同一な部分は同一符号を記して詳細な説明は省略する。図１０に熱交換形換気装置を水平方向へ輪切りにした断面図を示す。図９に示すように、熱交換形換気装置は、室外吸込口２３と室内吸込口２４、室外排出口２５、室内給気口２６を備えた本体箱２７で構成され、室外吸込口２３から吸い込んだ空気を室内給気口２６より吐出し、室内吸込口２４から吸い込んだ空気を室外排出口２５から吐出する。本体箱２７内部には実施の形態９に示した熱交換素子２８を備える。また、送風手段として第１送風手段２９と、第２送風手段３０を備え、例えば送風手段として、遠心送風機や軸流送風機を備え、送風手段を駆動させる原動機として原動機３１を備え、熱交換素子２８と接続する風路を選択するための選択手段として、例えば原動機とダンパー板等で構成された風向調整板３２を備えた構成である。
【０１４０】
さらに本体箱２７は、原動機３１の回転軸に固着された第１送風手段２９によって室外の空気を室内へ給気する給気流を通風させる給気流路３３と、同じく原動機３１の回転軸に固着された第２送風手段３０によって室内の空気を室外に排気する排気流を通風させる排気流路３４を備えた構成である。
【０１４１】
風向調整板３２は、室外吸込口２３に熱交換素子２８の第１流路２１もしくは第２流路２２のどちらか一方を接続し、他方の流路を室内吸込口２４に接続する構成である。
【０１４２】
さらに、室外吸込口２３と風向調整板３２との間の給気流路３３内に第１湿度検知手段３５を備え、室内吸込口２４と風向調整板３２との間の排気流路３４内に第２湿度検知手段３６を備えた構成である。
【０１４３】
この構成により、熱交換素子２８の第１流路２１と第２流路２２へ、それぞれ給気流路３３または排気流路３４を選択して接続することができる。給気流路３３及び排気流路３４のうち、湿度の低い流路を吸湿性の高い第１流路２１へ接続し、湿度の高い流路を吸湿性の低い第２流路２２へ接続するように、第１湿度検知手段３５及び第２湿度検知手段３６から湿度情報を得て風向調整板３２を制御する。このことで、湿度の高い流路から湿度の低い流路への潜熱回収において、素子内部において、吸湿性の低い第２流路２２から吸湿性の高い第１流路２１へ水分移動を促進するために、熱交換形換気装置の潜熱回収効率を向上させ、もって全熱回収効率も向上させることができる。
【０１４４】
本発明における湿度検知手段とは、例えば、高分子膜に含まれる水分量の変化に伴う誘電率変化を検出する高分子膜湿度センサーや、白金抵抗体を用いた温度センサーを二本組み合わせて、片方をウイッグ等で湿らせておくことで乾球及び湿球温度を測定し湿度情報を得る乾湿計などが挙げられる。
【０１４５】
なお、実施の形態において、第１送風手段２９及び第２送風手段３０を原動機３１で駆動する構成としたが、二台の原動機を備えてそれぞれの送風手段を駆動する構成としてもよい。
【０１４６】
なお、実施の形態において第１湿度検知手段３５及び第２湿度検知手段３６を備えることで湿度情報を得たが、例えば室内もしくは室外の湿度環境が一定である場合、湿度検知手段を湿度環境が変化する側の風路のみに設置する構成であっても同様の効果が得られる。
【０１４７】
なお、実施の形態において第１湿度検知手段３５及び第２湿度検知手段３６を備えることで湿度情報を得、その情報に基づき風向調整板３２を切り替えたが、これら湿度検知手段を設けず、例えば手動等、他の手段により風向調整板３２を切り替えてもよい。
【産業上の利用可能性】
【０１４８】
本発明にかかる全熱交換素子用素材およびその素材を用いた熱交換形換気装置は、熱交換形換気装置の潜熱交換効率を向上させることを可能とするものであるので、伝熱性と透湿性を有する素材を仕切板に備えて、顕熱及び潜熱を同時に回収する静止透過式の熱交換形換気装置等として有用である。
【符号の説明】
【０１４９】
１    多孔質シートａ
２    薄膜ａ
３    薄膜ｂ
４    多孔質シートｂ
５    薄膜ｃ
６    多孔質シートｃ
７    多孔質シートｄ
８    多孔質シートｅ
９    多孔質シートｆ
１０  限外濾過膜
１１  多孔質シートｇ
１２  多孔質シートｈ
１３  多孔質シートｉ
１４  逆浸透膜
１５  薄膜ｄ
１６  薄膜ｆ
１７  薄膜ｇ
１８  薄膜ｈ
１９  第１面
２０  第２面
２１  第１流路
２２  第２流路
２３  室外吸込口
２４  室内吸込口
２５  室外排出口
２６  室内給気口
２７  本体箱
２８  熱交換素子
２９  第１送風手段
３０  第２送風手段
３１  原動機
３２  風向調整板
３３  給気流路
３４  排気流路
３５  第１湿度検知手段
３６  第２湿度検知手段
【図１】
2011012894.tif 000003
【図２】
2011012894.tif 000004
【図３】
2011012894.tif 000005
【図４】
2011012894.tif 000006
【図５】
2011012894.tif 000007
【図６】
2011012894.tif 000008
【図７】
2011012894.tif 000009
【図８】
2011012894.tif 000010
【図９】
2011012894.tif 000011
【図１０】
2011012894.tif 000012